(57)【特許請求の範囲】
【請求項１】
折畳まれた傘体と、該傘体の周縁に固着垂下されている複数の支紐群と、該複数の支紐群の下端の結束部に一体に結束され、かつ延設されている単一の吊紐とよりなるパラシュートが、折畳まれた状態でゴム気球内に内蔵され、前記吊紐の下端部のみが前記気球の口頸管外に引出されており、
吊紐が、ゴム気球の口頸管外に引出されている下端部を除き、始終両端に作用する印加張力により解離可能に巻取部に巻装されてゴム気球内に内蔵されており、
巻取部に巻装されている吊紐の始終両端が、それぞれ印加される張力により解離可能に前記巻取部に係止されているパラシュート内蔵ゴム気球。
【請求項２】
折畳まれた傘体と、該傘体の周縁に固着垂下されている複数の支紐群と、該複数の支紐群の下端の結束部に一体に結束され、かつ延設されている単一の吊紐とよりなるパラシュートが、折畳まれた状態でゴム気球内に内蔵され、前記吊紐の下端部のみが前記気球の口頸管外に引出されており、
吊紐が、ゴム気球の口頸管外に引出されている下端部を除き、始終両端に作用する印加張力により解離可能に巻取部に巻装されてゴム気球内に内蔵されており、
吊紐の巻取部が細長形状体であり、吊紐が該巻取部の表裏両面を巡る８字状軌跡を画いて重ね巻きされており、巻装されている吊紐の始終両端に印加される張力により解離可能に仮止めされているパラシュート内蔵ゴム気球。
【請求項３】
巻取部より延設されている吊紐の下端が、ガス充填閉止弁に結着され、該ガス充填閉止弁がゴム気球の口頸管に密封結着されている請求項１または請求項２のいずれかに記載のパラシュート内蔵ゴム気球。
【発明の詳細な説明】
【０００１】
【発明の属する技術分野】
本発明は、気象観測用気球、あるいは地形による気流変化の観測用気球等のごとき、ゴム気球のうち落下時に用いられるパラシュートが内蔵されているゴム気球に関するものである。
【０００２】
【従来の技術】
従来の観測用ゴム気球においては、気球に観測用器具を吊下する吊紐の気球寄り位置に、落下用パラシュートが畳んで吊下されており、気球が所定の高空で破裂した後、吊下器具の重量により落下する際、パラシュートが開き、観測器具等により、地上または水上の落下点に存在する器物、生物等に損傷を与えることのない緩速度で落下せしめるものである。
【０００３】
前記従来の気球には、落下に際し、破裂した気球片がパラシュートに被冠して、パラシュートが開傘されず、落下速度の減速が不充分で、落下した観測器具により落下点の器物、生物が損傷を受けるケースが予測されるという問題が存する。
【０００４】
【発明が解決しようとする課題】
この為、高空で破裂した気球片がパラシュートに被冠することがなく、確実にパラシュートが全開して、観測器具を緩速度で確実に落下せしめうるパラシュートを具備したゴム気球の開発が課題となっていた。
【０００５】
【課題を解決するための手段】
前記課題を解決するため、請求項１の発明では、折畳まれた傘体と、該傘体周縁に固着垂下されている複数の支紐軍と、該複数の支紐群の下端の結束部に一体に結束され、かつ延設されている単一の吊紐とよりなるパラシュートが、折畳まれた状態でゴム気球内に内蔵され、前記吊紐の下端部のみが前記の口頸管外に引出されており、吊紐が、ゴム気球の口頸管外に引出されている下端部を除き、始終両端に作用する印加張力により解離可能に巻取部に巻装されてゴム気球内に内蔵されており、巻取部に巻装されている吊紐の始終両端が、それぞれ印加される張力により解離可能に前記巻取部に係止されているパラシュート内蔵ゴム気球という構成とした。
【０００８】
請求項２の発明では、折畳まれた傘体と、該傘体の周縁に固着垂下されている複数の支紐群と、該複数の支紐群の下端の結束部に一体に結束され、かつ延設されている単一の吊紐とよりなるパラシュートが、折畳まれた状態でゴム気球内に内蔵され、前記吊紐の下端部のみが前記気球の口頸管外に引出されており、
吊紐が、ゴム気球の口頸管外に引出されている下端部を除き、始終両端に作用する印加張力により解離可能に巻取部に巻装されてゴム気球内に内蔵されており、
吊紐の巻取部が細長形状体であり、吊紐が該巻取部の表裏両面を巡る８字状軌跡を画いて重ね巻きされており、巻装されている吊紐の始終両端に印加される張力により解離可能に仮止めされているパラシュート内蔵ゴム気球という構成とした。
【０００９】
請求項３の発明では、巻取部より延設されている吊紐の下端がガス充填閉止弁に結着され、該ガス充填閉止弁がゴム気球の口頸部に密封結着されているという構成を請求項１または請求項２のいずれかの発明に付加するという構成とした。
【００１０】
図１及び図２は、本発明が適用されるパラシュート内蔵ゴム気球を示す。
【００１１】
図１に示す如く、一部断面で模型的に示した浮揚ガス充填前のゴム気球１の中に、図２、図３に示す如く、傘体２と、該傘体２の周縁３に固着垂下されている複数の支紐４、４の群と、その結束部５と、単一の吊紐６とよりなるパラシュート７が収納されている。
【００１２】
前記傘体２は折畳まれ、支紐群も折畳まれ、支紐４、４の下端は結束部５において一体に結束され、前記結束部５からは、単一の吊紐６が延設され、該吊紐６の下端部８のみが、ゴム気球１の口頸管９から外部に引出されている。
【００１３】
図２はパラシュート７が折畳まれた状態を示し、通常吊紐６の下端部８には観測用器具等の重量体１１が吊下される。
【００１４】
図３は、パラシュート７が傘体２を開いて落下する状態を示している。
【００１５】
支紐４群の下端は結束部５に一体に結束されるが、結束部５の形態は任意のものでよく、単に支紐４群の下端を結束しただけでもよい。
【００１６】
図４は、本発明が適用されるパラシュート内蔵ゴム気球を示し、巻取部１０が付加された以外は、図１と同様である。吊紐６は、単に折畳まれてゴム気球１内に内蔵されるのではなく、巻取部１０に巻装され、吊紐６を含むパラシュート７のゴム気球１内への装着を容易にしたものである。
【００１７】
吊紐６は、ゴム気球１の口頸管９外に引出されている下端部８を除き、巻取部１０に巻装されている。
前記吊紐６の巻取部１０への巻装は、特にパラシュート７の落下に際し、吊紐６の結束部５に結束されているいはば始点と、重量体１１が取り付けられているいわば終点との、吊紐６の始終両端に、図３に示す開いた傘体２と、重量体１１との間で、吊紐６に作用する上下方向の印加張力Ｆにより容易に解離され延伸されるように巻取部１０へ巻装されている。
【００１８】
巻取部１０における吊紐６のそれぞれ異なる巻装構造を、図５、図６及び図７に示す。図５及び図６は請求項１の実施例である。
【００１９】
図５は、吊紐６が、糸巻状の巻取部１０（１０Ａ）に巻装され、巻取部１０Ａでの巻装端１２、１２において、巻取部１０Ａの切込み１３、１３にそれぞれ軽く押し込まれて巻装されるのであり、他方、図１に示されるゴム気球１の口頸部９には、図８に示される如く、浮揚時の浮揚ガス充填と該ガスの密封とのため、ガス充填閉止弁１６が密封結着されるので、所定気圧で破裂した気球片は、必ずパラシュート７より下方位置を占め、従前の如くパラシュート７に、被冠することが無く、直ちに開傘し、落下時の印加張力Ｆ、Ｆにより、上下の各巻装端１２、１２は容易に切込み１３、１３から解離され吊紐６は重量体１１を吊下したまた延伸される。この状態で開いたパラシュート７は地上或は水上に緩速で落下して行く。
【００２０】
図６は、別形式の巻取部１０（１０Ｂ）を示す。巻取部１０Ｂに巻装された吊紐６の巻装端１２、１２は、それぞれ係止バンド１４、１４により巻取部１０Ｂのフランジ部１０Ｄに係止されている。落下時に、吊紐６に上下に向う張力Ｆ、Ｆが印加されると、巻装端１２、１２は容易に係止バンド１４、１４から抜出し、吊紐６は巻取部１０Ｂから容易に解離され、延伸される。
【００２１】
図７に示す巻取部１０（１０Ｃ）は、請求項２の実施例である。吊紐６の巻取部１０Ｃは、細長形状にまとめられ、吊紐６が細長系状体の巻取部１０Ｃの表裏両面を巡る８字状軌跡１０Ｅを画いて重ね巻きされており、巻装されている吊紐６の始終両端に印加される張力Ｆ、Ｆにより解離可能に、仮止め部１５により仮止めされており、落下時に張力Ｆが印加されると容易に仮止め部１５の仮止めが外れ、吊紐６は重量体１１を吊下した状態に延伸される。尚、巻取部１０の形状は、前述の各実施例に限定されるものではないことは勿論である。
【００２２】
図８、図９は、請求項３の実施例を示す。ゴム気球１には、その口頸管９に、ゴム気球１へ水素、ヘリウム等の軽量ガスを充填し、密封を行う一方作動のガス充填閉止弁１６が密封、結着されている。該ガス充填閉止弁１６を介して軽量ガスが充填閉止され軽量となったゴム気球１は、観測用の重量体１１を吊下しつつ高空へと上昇して行く。
【００２３】
所定の高度で、図９に示す如く、球形に膨張したゴム気球１は、やがて破裂してパラシュート７が露出され、図３に示す如く開傘され、重量体１１を地上或は水上に緩速落下させる。ゴム気球１の破片はパラシュート７の開傘に全く支障を生じない。
【００２４】
ゴム気球１の口頸管９にガス閉止弁１６が密封結着された場合、ガス漏れを生じないように、ゴム気球１内のパラシュート７とゴム気球１外に吊下される重量体１１を連結する吊紐６の取付が問題となる。解決策は３案が考えられる。
【００２５】
ａ、吊紐６を２分し、吊紐上半６Ａをゴム気球１内でガス閉止弁１６の上端１７に  繋止し、吊紐下半６Ｂをゴム気球１外でガス閉止弁１６の下端１８に繋止する。この場合、巻取部１０はゴム気球１内で吊紐上半６Ａに取付ける。
【００２６】
ｂ、吊紐６をガス充填閉止弁１６の外周面に沿わせつつ該弁１６と共に、タイバンド１９等により、ゴム気球１の口頸管９にガス漏れを生じないよう密封結着する。この場合吊紐６の上半はゴム気球１内に残り、巻取部１０を介してパラシュート７に連結され、吊紐６の下半はゴム気球１外で重量体１１を吊下する。
【００２７】
Ｃ、ガス充填閉止弁１６の上端側に巻取部を直結し、該巻取部に吊紐６を巻装する。
【００２８】
【発明の効果】
請求項１の発明では、ゴム気球内に予めパラシュートが折畳まれて収納されているので、ガス充填閉止弁等を気球使用時に取付け度い使用者にとって、パラシュートを内蔵せしめる手間が不要であり、パラシュートの吊紐の下端がゴム気球の口頸管に固定されるので、高空でのゴム気球の破裂時に、パラシュートが、必ずゴム気球の裂片より上方に位置し、裂片で被冠されることなく露出され、支障なく全開され、重量体を緩降下せしめうる効果（第一の効果）を奏する。
【００２９】
また、請求項１の発明では、吊紐が巻取部に落下時の印加張力により容易に解離可能に巻装されているので、ゴム気球へのパラシュート内蔵時に、長い吊紐の内装操作が極めて容易で、気球使用時の操作を支障なく施行しうる効果（第二の効果）を奏する。
【００３０】
更に、請求項１の発明では、巻取部に短かく巻装されている吊紐の両端が、落下時に吊紐に印加される張力により自動的に巻取部より解離され、吊紐が所定の長さまで引延ばされ、吊下される重量体の観測時の作動に全く支障を生じない効果を奏する。
【００３１】
請求項２の発明では、上記第一の効果、第二の効果に加えて、巻取部が細長形状であるため、特別の部品を必要とせず、軽量な板片、厚紙片等で足りるので、気球上昇時に余分の重量を加えることなく使用出来、操作の簡便さに加えて、ゴム気球全体の軽量化にも役立つ効果を奏する。
【００３２】
請求項３の発明では、パラシュートをゴム気球内に内蔵せしめ、更にガス充填閉止弁を口頸管に密封結着せしめた状態で提供できるので、ゴム気球の放球現場では、観測器等の重量体の取付けと、ガスの充填という操作のみで、即時観測気球等の上昇を行うことが出来、且つ、安全確実に観測の実施及び重量体の地上或は水上への降下を安全確実に行いうる効果を奏する。
【図面の簡単な説明】
【図１】請求項１、請求項２及び請求項３の発明が適用されるパラシュート内蔵ゴム気球の一部断面側面図である。
【図２】折畳状態のパラシュートの側面図である。
【図３】開傘時のパラシュートの側面図である。
【図４】巻取部が付加されたパラシュート内蔵ゴム気球の一部断面側面図である。
【図５】巻取部の一実施例を示す側面図である。
【図６】巻取部の別の実施例を示す側面図である。
【図７】巻取部の更に別の実施例を示す側面図である。
【図８】ゴム気球口頸部へのガス充填閉止弁の取付状態を示す、一部断面拡大側面図である。
【図９】パラシュート内蔵、ガス充填閉止弁装着のゴム気球のガス充填状態を示す一部断面側面図である。
【符号の説明】
１ ゴム気球
２ 傘体
３ 周縁
４ 支紐
５ 結束部
６、６Ａ、６Ｂ 吊紐
７ パラシュート
８ 下端部
９ 口頸管
１０、１０Ａ、１０Ｂ、１０Ｃ 巻取部
１０Ｄ フランジ
１０Ｅ ８字状軌跡
１１ 重量体
１２ 巻装端
１３ 切込み
１４ 係止バンド
１５ 仮止め部
１６ ガス充填閉止弁
１７ 上端
１８ 下端
１９ タイバンド
Ｆ 印加張力
【図１】
0004553513.tif 000002
【図２】
0004553513.tif 000003
【図３】
0004553513.tif 000004
【図４】
0004553513.tif 000005
【図５】
0004553513.tif 000006
【図６】
0004553513.tif 000007
【図７】
0004553513.tif 000008
【図８】
0004553513.tif 000009
【図９】
0004553513.tif 000010